(57)【要約】【課題】全周囲を撮影した動画の再生時に、撮影方向の変化の影響を受けることなく、ユーザによる動画の表示領域の移動操作をしやすくする表示制御技術を提供する。【解決手段】全周囲の動画を撮影可能な撮像装置の撮影方向を取得する取得手段（Ｓ６０２）と、取得手段（Ｓ６０２）で取得した前記撮影方向に基づいて、前記撮影方向の変化量、及び前記撮影方向が変化した記録画像のフレーム情報を撮影方向情報として算出する算出手段（Ｓ６０４）と、前記全周囲を撮影した記録画像に関連付けられた前記撮影方向情報に基づいて、前記撮影方向の変化を打ち消すように表示領域を移動させた表示画像を作成して、作成した表示画像を表示部に表示する表示位置制御手段（Ｓ６１２）と、を備える。【選択図】図６
2017085466.tif 000002
【特許請求の範囲】
【請求項１】
全周囲の動画を撮影可能な撮像装置であって、
前記撮像装置の撮影方向を取得する取得手段と、
前記取得手段で取得した前記撮影方向に基づいて、前記撮影方向の変化量、及び前記撮影方向が変化した記録画像のフレーム情報を撮影方向情報として算出する算出手段と、
前記全周囲を撮影した記録画像に関連付けられた前記撮影方向情報に基づいて、前記撮影方向の変化を打ち消すように表示領域を移動させた表示画像を作成して、作成した表示画像を表示部に表示する表示位置制御手段と、を備えることを特徴とする撮像装置。
【請求項２】
前記全周囲を撮影した前記記録画像に前記撮影方向情報を関連付けて記録する記録手段を備え、
前記表示位置制御手段は、前記記録手段から取得した前記撮影方向情報に基づいて、前記撮影方向の変化を打ち消すように表示領域を移動させた表示画像を作成することを特徴とする請求項１に記載の撮像装置。
【請求項３】
全周囲の動画を撮影可能な撮像装置であって、
前記撮像装置の撮影方向を取得する取得手段と、
前記取得手段で取得した前記撮影方向に基づいて、前記撮影方向の変化量、及び前記撮影方向が変化した記録画像のフレーム情報を撮影方向情報として算出する算出手段と、
前記算出された前記撮影方向情報に基づいて前記撮影方向の変化を打ち消すように前記記録画像の画像中心位置を変更して画像変換する画像変換手段と、を備えることを特徴とする撮像装置。
【請求項４】
全周囲の動画を撮影可能な撮像装置の制御方法であって、
前記撮像装置の撮影方向を取得する取得ステップと、
前記取得ステップで取得した前記撮影方向に基づいて、前記撮影方向の変化量、及び前記撮影方向が変化した記録画像のフレーム情報を撮影方向情報として算出する算出ステップと、
前記全周囲を撮影した記録画像に関連付けられた前記撮影方向情報に基づいて、前記撮影方向の変化を打ち消すように表示領域を移動させた表示画像を作成して、作成した表示画像を表示部に表示する表示位置制御ステップと、を備えることを特徴とする撮像装置の制御方法。
【請求項５】
全周囲の動画を撮影可能な撮像装置の制御方法であって、
前記撮像装置の撮影方向を取得する取得ステップと、
前記取得ステップで取得した前記撮影方向に基づいて、前記撮影方向の変化量、及び前記撮影方向が変化した記録画像のフレーム情報を撮影方向情報として算出する算出ステップと、
前記算出された前記撮影方向情報に基づいて前記撮影方向の変化を打ち消すように前記記録画像の画像中心位置を変更して画像変換する画像変換ステップと、を備えることを特徴とする撮像装置の制御方法。
【発明の詳細な説明】
【技術分野】
【０００１】
本発明は、デジタルカメラ等の撮像装置に関し、特に全周囲を撮影した動画の表示制御技術に関する。
【背景技術】
【０００２】
デジタルカメラ等の撮像装置では、３６０°の全周囲の画像を一度のレリーズ操作で撮影可能なものがある。全周囲の画像を撮影するには、複数の撮像部を用いて取得した画角の異なる複数の画像を合成する方法や、球面ミラーや双曲面ミラー等の反射鏡や魚眼レンズを用いて広範囲の画角を撮影する方法がある（特許文献１）。また、全周囲の画像を撮影する技術を用いることで、動画を撮影することも可能である。
【０００３】
全周囲を撮影した動画を再生する場合、全周囲を全て一画面に表示すると、横長のパノラマ画像又は反射鏡や魚眼レンズの光学系特性により歪んだままの画像となり、見づらいものになってしまう。
【０００４】
この場合、ユーザが注目する領域を切り出すことで視認しやすい画像を生成する方法（特許文献２）が提案されているが、一部の領域を切り出すと、３６０°の全周囲全体を視認できなくなってしまう。そこで、切り出した画像をスクロール表示することで、ユーザ操作により自由に切り出し位置を変更可能な技術が提案されている（特許文献３）。
【先行技術文献】
【特許文献】
【０００５】
【特許文献１】特開２００６−５０１８５号公報
【特許文献２】特開２０１２−１１４９００号公報
【特許文献３】特許第３０５５５３７号公報
【発明の概要】
【発明が解決しようとする課題】
【０００６】
しかし、上記特許文献３では、全周囲を撮影した動画を再生する際、撮影方向を変化させながら撮影した動画を再生すると、撮影方向の変化により表示領域が移動しているのか、又はユーザの操作により表示領域が移動しているのかがわかりにくい。そのため、ユーザは、動画の表示領域の移動が自身の操作によるものなのか、撮影方向の変化によるものかを判断できず、操作に不便を感じるという問題がある。
【０００７】
そこで、本発明は、全周囲を撮影した動画の再生時に、撮影方向の変化の影響を受けることなく、ユーザによる動画の表示領域の移動操作をしやすくする表示制御技術を提供することを目的とする。
【課題を解決するための手段】
【０００８】
上記目的を達成するために、本発明は、全周囲の動画を撮影可能な撮像装置であって、前記撮像装置の撮影方向を取得する取得手段と、前記取得手段で取得した前記撮影方向に基づいて、前記撮影方向の変化量、及び前記撮影方向が変化した記録画像のフレーム情報を撮影方向情報として算出する算出手段と、前記全周囲を撮影した記録画像に関連付けられた前記撮影方向情報に基づいて、前記撮影方向の変化を打ち消すように表示領域を移動させた表示画像を作成して、作成した表示画像を表示部に表示する表示位置制御手段と、を備えることを特徴とする。
【０００９】
また、本発明は、全周囲の動画を撮影可能な撮像装置であって、前記撮像装置の撮影方向を取得する取得手段と、前記取得手段で取得した前記撮影方向に基づいて、前記撮影方向の変化量、及び前記撮影方向が変化した記録画像のフレーム情報を撮影方向情報として算出する算出手段と、前記算出された前記撮影方向情報に基づいて前記撮影方向の変化を打ち消すように前記記録画像の画像中心位置を変更して画像変換する画像変換手段と、を備えることを特徴とする。
【発明の効果】
【００１０】
本発明によれば、全周囲を撮影した動画の再生時に、撮影方向の変化の影響を受けることなく、ユーザによる動画の表示領域の移動操作をしやすくすることができる。
【図面の簡単な説明】
【００１１】
【図１】本発明の撮像装置の第１の実施形態であるデジタルカメラのシステム構成例を示すブロック図である。
【図２】記録媒体に記録される動画の一例を示す図である。
【図３】撮影方向取得部で取得した撮影者の位置からの撮影方向と撮影方向の変化量を示す斜視図である。
【図４】表示位置制御部による記録画像からの表示画像の作成方法について説明する図である。
【図５】表示位置制御部による撮影方向情報に基づいた表示画像の変更処理について説明する図である。
【図６】（ａ）は全周囲を撮影した動画の記録処理を説明するフローチャート図、（ｂ）は（ａ）のステップＳ６０５で記録媒体に記録された全周囲を撮影した動画の表示処理を説明するフローチャート図である。
【図７】本発明の撮像装置の第２の実施形態であるデジタルカメラにおいて、画像変換部の処理について説明する図である。
【図８】（ａ）は全周囲を撮影した動画の記録処理を説明するフローチャート図、（ｂ）は（ａ）のステップ８０５で記録媒体に記録された全周囲を撮影した動画の表示処理を説明するフローチャート図である。
【発明を実施するための形態】
【００１２】
以下、図面を参照して、本発明の実施形態を説明する。
【００１３】
（第１の実施形態）
図１は、本発明の撮像装置の第１の実施形態であるデジタルカメラのシステム構成例を示すブロック図である。
【００１４】
図１に示すように、本実施形態のデジタルカメラ１００は、撮影光学系１０１と、撮影光学系１０１を通過した被写体像が結像する撮像センサ１０２とを有するレンズユニット１０５を備え、３６０°の全周囲の動画を撮影可能である。撮像センサ１０２は、ＣＣＤセンサやＣＭＯＳセンサ等で構成され、結像した被写体像を光電変換して撮像信号を信号処理部１１２に出力する。光学系駆動部１０３は、撮影光学系１０１を駆動し、撮像系駆動部１０４は、撮像センサ１０２を駆動する。
【００１５】
不揮発性メモリ１１１は、電気的に消去・記録可能なメモリであり、例えばＥＥＰＲＯＭ等が用いられる。不揮発性メモリ１１１には、システム制御部１１０の動作用の定数、プログラム等が記憶される。システム制御部１１０は、デジタルカメラ１００全体の制御を司る。システム制御部１１０は、不揮発性メモリ１１１に記録されたプログラムをＲＡＭに展開して実行する。
【００１６】
メモリ１１４は、撮影された画像データや表示部１２４に表示するための画像データを記憶する。メモリ１１４は、所定枚数の静止画像や所定時間の動画像および音声を格納するのに十分な記憶容量を備えている。また、メモリ１１４は、画像表示用のメモリ（ビデオメモリ）を兼ねている。記録媒体１２３は、着脱可能なメモリカード等の他に内蔵メモリ等で構成される。
【００１７】
信号処理部１１２、撮像センサ１０２から出力された画像データまたはメモリ１１４に記録された画像データに対して所定の画素補間処理や色変換処理、動画像の圧縮処理等を行う。また、信号処理部１１２は、撮像した画像データを用いて所定の演算処理を行い、システム制御部１１０は、得られた演算結果に基づいて光学系駆動部１０３及び撮像系駆動部１０４を制御して、露出制御やオートフォーカス制御を行う。
【００１８】
操作部１３０は、撮影や再生の開始／停止の指示及び表示部１２４での表示領域の移動や拡大縮小を指示する。システム制御部１１０は、ユーザ操作による操作部１３０での指示に基づき、撮影や再生の開始／停止の制御、及び表示部１２４での表示領域の移動量やサイズ情報を取得する。
【００１９】
撮影方向取得部１１３は、カメラ１００の撮影方向を取得する。カメラ１００の撮影方向を取得する方法としては、３軸地磁気センサを用いて方角を取得する方法や、複数の撮影画像により画像内の被写体の移動量を算出することで撮影方向の変化を取得する方法等がある。システム制御部１１０は、撮影方向取得部１１３で取得した撮影方向を用いて撮影方向情報を算出する。撮影方向情報は、少なくとも撮影方向の変化量、及び撮影方向が変化した動画のフレーム情報を含む。信号処理部１１２は、画像処理された動画データを記録する際に、システム制御部１１０で算出した撮影方向情報を動画データに関連付けて記録媒体１２３に保存する。
【００２０】
表示位置制御部１２０は、システム制御部１１０で算出した撮影方向情報に基づいて全周囲の画像の表示領域を算出する。表示部１２４は、ＬＣＤ等により構成され、画像データを表示する。表示部１２４には、表示位置制御部１２０で算出された表示領域に基づいて画像データの表示領域が変更されて表示される。画像変換部１４０は、信号処理部１１２から取得した画像データ、もしくはメモリ１１４に記録された画像データを撮影方向取得部１１３で取得した撮影方向情報に基づいて変換する。
【００２１】
次に、上記のように構成されたデジタルカメラ１００のシステム制御部１１０による動画記録／再生処理について説明する。
【００２２】
まず、動画記録時の処理について説明する。ユーザ操作による操作部１３０からの動画撮影の指示を受け付けると、動画撮影を開始し、撮像センサ１０２は、撮影光学系１０１を介して結像する被写体像を電気信号に変換して信号処理部１１２へ出力する。
【００２３】
撮影光学系１０１は、３６０°の全周囲の被写体像を反射して撮像センサ１０２に入射させる反射鏡を備えるレンズ群であり、信号処理部１１２には、全周囲を撮影した画像データが入力される。なお、反射鏡を備える撮影光学系１０１に代えて、複数の撮像センサ１０２で撮像した複数の画像を合成して全周囲の画像を取得することも可能である。
【００２４】
信号処理部１１２は、全周囲を撮影した画像データに対して補間処理や動画記録サイズへの変倍処理などの画像処理を行い、処理後の画像をメモリ１１４に記録する。メモリ１１４に記録された画像は、信号処理部１１２により圧縮処理されて記録媒体１２３へ記録される。
【００２５】
次に、再生時の処理について説明する。ユーザ操作による操作部１３０からの動画再生の指示を受け付けると、記録媒体１２３から圧縮された動画データを読み出し、メモリ１１４を介して信号処理部１１２において伸長する。信号処理部１１２で伸長された画像データは、表示位置制御部１２０へ出力される。表示位置制御部１２０は、伸長された画像データから表示画像を作成し、作成した表示画像を表示部１２４に表示する。
【００２６】
次に、図２乃至図６を参照して、システム制御部１１０で算出した撮影方向情報を関連付けて記録媒体１２３に記録された動画データの再生時に、表示位置制御部１２０が撮影方向情報に基づいて全周囲の画像の表示領域を変更する処理について説明する。
【００２７】
図２は、記録媒体１２３に記録される動画の一例を示す図である。図２（ａ）は、全周囲を撮影した動画の記録媒体１２３への記録開始時における記録画像を示す図である。図２（ａ）に示す記録画像２００では、撮影者２０１、主被写体２０２及び被写体２０３を含む全周囲が撮影されている。図２（ｂ）は記録画像２００の後に記録媒体１２３に記録される記録画像２１０を示す図、図２（ｃ）は記録画像２１０の後に記録媒体１２３に記録される記録画像２２０を示す図である。
【００２８】
これらの記録画像２００，２１０，２２０を含む時間軸で連続的に記録された画像を動画として記録する。図２（ａ）乃至図２（ｃ）において、撮影者２０１は、移動している主被写体２０２を中心として撮影しているため、撮影者２０１及び主被写体２０２の位置は変化ないが、被写体２０３の位置が時間ごとに移動している。
【００２９】
次に、図２及び図３を参照して、システム制御部１１０による撮影方向情報の算出方法について説明する。図３において、撮影方向３０１は、図２（ａ）の記録画像２００から撮影方向取得部１１３で取得した撮影者の位置３００からの撮影方向を示している。撮影方向３０２は、図２（ｂ）の記録画像２１０から撮影方向取得部１１３で取得した撮影者の位置３００からの撮影方向を示している。また、撮影方向の変化量３０３は、撮影方向３０１から撮影方向３０２の撮影方向の変化量を示している。
【００３０】
図２で説明したように、撮影者２０１が移動する主被写体２０２を中心に撮影した場合、システム制御部１１０は、撮影方向の変化量３０３及び図２（ａ）から図２（ｂ）までで撮影方向が変化した記録画像のフレーム情報を撮影方向情報として算出する。なお、本実施形態では、撮影方向の変化量として、水平方向に移動した場合を例示したが、ヨー、ピッチ、ロールの３軸方向で算出することも可能である。
【００３１】
次に、図４及び図５を参照して、表示位置制御部１２０の処理について具体的に説明する。まず、図４を参照して、表示位置制御部１２０による記録画像からの表示画像の作成方法について説明する。図４（ａ）を参照して、表示位置制御部１２０では、動画再生の開始時における、全周囲画像における画像中心位置４０１を中心とする表示領域４０２の切り出し及び歪補正や射影変換といった非線形な画像変換を行う。これにより、図４（ｂ）に示すように、表示位置制御部１２０は、反射鏡及びレンズの歪みを補正した表示画像を作成して表示部１２４に出力する。
【００３２】
次に、図５を参照して、表示位置制御部１２０による撮影方向情報に基づいた表示画像の変更処理について説明する。図５（ａ）に示す記録画像４００は、図４（ａ）における動画再生開始時の記録画像４００に対応している。図５（ｂ）に示す撮影方向の変化量５１５は、記録画像４００に関連付けられた撮影方向情報より取得する。
【００３３】
図５（ｂ）に示す記録画像５１０における表示領域５１２は、撮影方向の変化量５１５に基づいて算出する。撮影方向の変化量５１５は、撮影方向が図の反時計回り方向に移動して変化した量であるため、記録画像５１０では、図５（ａ）の表示領域４０２を図５（ｂ）の時計回り方向に撮影方向の変化量５１５と同じ角度５１６を移動させて表示領域５１２とする。同様に、図５（ｃ）においても、撮影方向の変化量５２５に基づいて、図５（ｂ）の表示領域５１２を表示領域５２２に変更する。
【００３４】
図６（ａ）は、全周囲を撮影した動画の記録処理を説明するフローチャート図である。図６（ａ）の処理は、不揮発性メモリ１１１に記憶されたプログラムが不図示のＲＡＭに展開されてシステム制御部１１０のＣＰＵ等により実行される。
【００３５】
図６（ａ）において、ステップＳ６０１では、システム制御部１１０は、ユーザ操作による操作部１３０から動画記録開始の指示があると、ステップＳ６０２に進む。ステップＳ６０２では、システム制御部１１０は、撮影方向取得部１１３により撮影方向を取得し、ステップＳ６０３に進む。
【００３６】
ステップＳ６０３では、システム制御部１１０は、ステップＳ６０２で取得した撮影方向に変化があったかを判定し、撮影方向に変化がない場合、ステップＳ６０６に進み、撮影方向に変化があった場合は、ステップＳ６０４に進む。ステップＳ６０４では、システム制御部１１０は、撮影方向取得部１１３で取得した撮影方向に基づき、撮影方向情報（撮影方向の変化量、及び撮影方向が変化した動画のフレーム情報を含む）を算出し、ステップＳ６０５に進む。
【００３７】
ステップＳ６０５では、システム制御部１１０は、信号処理部１１２により、ステップＳ６０４で算出した撮影方向情報を全周囲を撮影した記録画像に関連付けて記録媒体１２３に記録し、ステップＳ６０６に進む。ステップＳ６０６では、ユーザ操作による操作部１３０から撮影終了指示があったかを判定し、撮影終了指示がなければ、ステップＳ６０２に戻り、撮影終了指示があった場合は、動画撮影を終了し、処理を終了する。
【００３８】
図６（ｂ）は、図６（ａ）のステップＳ６０５で記録媒体１２３に記録された全周囲を撮影した動画の表示処理を説明するフローチャート図である。図６（ｂ）の処理は、不揮発性メモリ１１１に記憶されたプログラムが不図示のＲＡＭに展開されてシステム制御部１１０のＣＰＵ等により実行される。
【００３９】
図６（ｂ）において、ステップＳ６１１では、システム制御部１１０は、ユーザ操作による操作部１３０からの動画再生開始の指示を受け付けると、ステップＳ６１２に進む。ステップＳ６１２では、システム制御部１１０は、表示位置制御部１２０により、記録媒体１２３に記録された記録画像と関連付けられた撮影方向情報に基づいて表示画像を作成する。そして、システム制御部１１０は、表示位置制御部１２０により、作成した表示画像を表示部１２４に表示して表示領域を変更し、ステップＳ６１３に進む。
【００４０】
ステップＳ６１３では、システム制御部１１０は、操作部１３０からの再生終了指示を受け付けたか、又は動画が終了したかを判定する。そして、システム制御部１１０は、操作部１３０からの再生終了指示を受け付けた場合、又は動画が終了した場合は、処理を終了し、そうでない場合は、ステップＳ６１２に戻る。
【００４１】
なお、動画の再生時にユーザが操作部１３０を介して表示モードを切り替え操作することで、撮影方向情報に基づいて表示領域の位置を変更するか、又は画像中心領域を表示するかを選択することも可能である。画像中心領域を表示することで、撮影者の視点にたった動画再生が可能となり、ユーザの再生用途に応じた使い分けが可能となる。
【００４２】
また、本実施形態では、表示領域が常に一定方向になるように表示を行う処理を説明したが、動画再生中にユーザ操作により表示領域を変更することも勿論可能である。ユーザ操作により表示領域４０２を変更する場合は、図６（ｂ）のステップＳ６１２で撮影方向情報と操作部１３０を介して入力される表示領域の移動量の和に基づいて表示領域を制御する。
【００４３】
以上説明したように、本実施形態では、全周囲を撮影した動画の再生時に、撮影者の撮影方向の変化を打ち消した再生表示を行うことによって、撮影方向の変化の影響を受けることなく、ユーザによる動画の表示領域の移動操作をしやすくすることができる。
【００４４】
（第２の実施形態）
次に、図７及び図８等を参照して、本発明の撮像装置の第２の実施形態であるデジタルカメラについて説明する。なお、上記第１の実施形態に対して重複又は相当する部分については、図及び符号を流用しつつその説明を省略する。
【００４５】
本実施形態では、全周囲を撮影した動画データを記録媒体１２３に記録する際に、撮影方向情報に基づいて画像中心位置を変更して表示領域を固定して表示する。図１を流用して、画像変換部１４０は、信号処理部１１２で補間処理や動画記録サイズへの変倍処理を行った記録画像の画像中心位置を撮影方向情報に基づいて変更して後述するように画像変換する。変換した記録画像は、メモリ１１４に記録された後、信号処理部１１２で圧縮されて、記録媒体１２３に記録される。
【００４６】
次に、図７を参照して、画像変換部１４０の処理について具体的に説明する。図７（ａ）は、撮影開始時の記録画像７００を示す図である。記録画像７００の主被写体の中心は、撮影開始時の撮影方向７０５を示す画像中心位置７０１である。記録画像７００の表示領域７０３は、画像中心位置７０１を中心とする領域である。
【００４７】
図７（ｂ）は、撮影時の記録画像７１０を示す図である。記録画像７１０の主被写体の中心は、撮影時の撮影方向７１５を示す画像中心位置７１２である。図７（ａ）に示す撮影開始時の撮影方向７０５からの撮影時の撮影方向７１５の変化量７１３は、撮影開始時から図の反時計回り方向に撮影方向が変化した量である。
【００４８】
画像変換部１４０では、撮影方向の変化量７１３に基づいて、画像中心位置７１２が撮影開始時の撮影方向７０５の位置になるように画像中心位置７１２を変更して画像変換する。すなわち、撮影開始時の撮影方向７０５の画角が常に表示領域になるように画像を変換する。図７（ｃ）においても、同様に、撮影方向の変化量７２３に基づいて画像を変換する。
【００４９】
図８（ａ）は、全周囲を撮影した動画の記録処理を説明するフローチャート図である。図８（ａ）の処理は、不揮発性メモリ１１１に記憶されたプログラムが不図示のＲＡＭに展開されてシステム制御部１１０のＣＰＵ等により実行される。なお、図８（ａ）のステップＳ８０１〜ステップＳ８０４、及びステップＳ８０６の処理は、それぞれ上記第１の実施形態（図６（ａ））のステップＳ６０１〜ステップＳ６０４、及びステップＳ６０６の処理と同様であるため、その説明を省略する。
【００５０】
図８（ａ）において、ステップＳ８０５では、システム制御部１１０は、記録画像の画像中心位置をステップＳ８０４で取得した撮影方向情報に基づいて変更して画像変換する。そして、システム制御部１１０は、変換した記録画像をメモリ１１４に記録した後、信号処理部１１２で圧縮して記録媒体１２３に記録し、ステップＳ８０６に進む。
【００５１】
図８（ｂ）は、図８（ａ）のステップ８０５で記録媒体１２３に記録された全周囲を撮影した動画の表示処理を説明するフローチャート図である。図８（ｂ）の処理は、不揮発性メモリ１１１に記憶されたプログラムが不図示のＲＡＭに展開されてシステム制御部１１０のＣＰＵ等により実行される。なお、図８（ｂ）のステップＳ８１１、及びステップＳ８１３の処理は、それぞれ上記第１の実施形態（図６（ｂ））のステップＳ６１１、及びステップＳ６１３の処理と同様であるため、その説明を省略する。
【００５２】
図８（ｂ）において、ステップＳ８１２では、システム制御部１１０は、表示位置制御部１２０により、図７（ａ）に示す撮影開始時の表示領域７０３から表示画像を作成して、作成した表示画像を表示部１２４に表示し、ステップＳ８１３に進む。なお、本実施形態では、表示領域が常に一定方向になるように表示を行う処理を説明したが、動画再生中にユーザ操作により表示領域を変更することも勿論可能である。この場合、図８（ｂ）のステップＳ８１２で操作部１３０を介して入力される表示領域の移動量に基づいて表示領域を制御する。その他の構成、及び作用効果は、上記第１の実施形態と同様である。
【００５３】
なお、本発明は、上記各実施形態に例示したものに限定されるものではなく、本発明の要旨を逸脱しない範囲において適宜変更可能である。
【００５４】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５５】
１００  デジタルカメラ
１０２  撮像センサ
１０５  レンズユニット
１１０  システム制御部
１１１  不揮発性メモリ
１１２  信号処理部
１１３  撮影方向取得部
１１４  メモリ
１２０  表示位置制御部
１２３  記録媒体
１２４  表示部
１３０  操作部
１４０  画像変換部
【図１】
2017085466.tif 000003
【図２】
2017085466.tif 000004
【図３】
2017085466.tif 000005
【図４】
2017085466.tif 000006
【図５】
2017085466.tif 000007
【図６】
2017085466.tif 000008
【図７】
2017085466.tif 000009
【図８】
2017085466.tif 000010